【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
塞栓用デバイスであって、
外面と、近位端から遠位端へ延びる内腔を形成する内面とを有し、第１の材料から作られており、１つ以上の微細加工された開窓部を有する微細加工管と、
第２の材料から作られ前記微細加工管の中に配置され、前記１つ以上の微細加工された開窓部により露出される内部コイルと、
を備える塞栓用デバイス。
【請求項２】
前記第１の材料はポリエーテルエーテルケトン（ＰＥＥＫ）である、請求項１に記載の塞栓用デバイス。
【請求項３】
前記ＰＥＥＫはポリエーテルブロックアミド（ＰＥＢＡ）、炭素繊維およびガラス繊維を含む他の種類のポリマーと組み合わされる、請求項２に記載の塞栓用デバイス。
【請求項４】
前記第２の材料はタンタルである、請求項１に記載の塞栓用デバイス。
【請求項５】
前記内部コイル内に配置され、前記塞栓用デバイスを送達部位へ送達するための同軸プッシャと同心連結される内部ワイヤをさらに備える、請求項１に記載の塞栓用デバイス。
【請求項６】
前記内部ワイヤは前記プッシャ内に配置され、前記プッシャの遠位端は第１の実質的に矩形のフックを含み、前記塞栓用デバイスの近位端は、前記第１の実質的に矩形のフックと補完して係合するよう向けられた第２の実質的に矩形のフックを含み、前記内部ワイヤは前記第１の実質的に矩形のフックおよび前記第２の実質的に矩形のフック内を延びるように配置され、前記内部ワイヤを引き出すことにより、前記第２の実質的に矩形のフックから前記第１の実質的に矩形のフックが分離される、請求項５に記載の塞栓用デバイス。
【請求項７】
前記微細加工管は複数のリングを備え、前記複数のリングのそれぞれは隣接する開窓部の間に形成されている、請求項１に記載の塞栓用デバイス。
【請求項８】
前記微細加工管の近位端は、前記塞栓用デバイスを導入器に縫糸で装填するための開窓部を含むように微細加工されている、請求項１に記載の塞栓用デバイス。
【請求項９】
前記第１の材料はＰＥＥＫであり、第３の材料でドープされている、請求項１に記載の塞栓用デバイス。
【請求項１０】
前記第３の材料はガラス繊維、炭素繊維およびポリマー繊維を含む、請求項９に記載の塞栓用デバイス。
【請求項１１】
前記内部コイルに配置されるファイバをさらに備える、請求項１に記載の塞栓用デバイス。
【請求項１２】
前記ファイバはガラス繊維、ポリエステル繊維、ダクロン繊維および親水性ポリマーである、請求項１１に記載の塞栓用デバイス。
【請求項１３】
前記ファイバに薬剤が装填されている、請求項１１に記載の塞栓用デバイス。
【請求項１４】
前記薬剤はフィブリノゲン剤、治療剤、放射線治療剤、化学治療剤である、請求項１３に記載の塞栓用デバイス。
【請求項１５】
前記ファイバは薬剤送達コーティングを含む、請求項１１に記載の塞栓用デバイス。
【請求項１６】
前記微細加工管の外面の少なくとも一部と接触する外部エラストマー積層をさらに備える、請求項１に記載の塞栓用デバイス。
【請求項１７】
前記積層はニチノール（登録商標）から形成される、請求項１６に記載の塞栓用デバイス。
【請求項１８】
前記積層はポリエーテルブロックアミドから形成される、請求項１６に記載の塞栓用デバイス。
【請求項１９】
前記外部エラストマー積層は前記微細加工された開窓部のうち１つ以上を部分的に充填する、請求項１６に記載の塞栓用デバイス。
【請求項２０】
前記内部コイルは、前記微細加工管の遠位端および近位端のＵＶ接着ボールで前記微細加工管に固定されている、請求項１に記載の塞栓用デバイス。
【請求項２１】
前記微細加工管の近位端および遠位端は、前記内部コイルを前記微細加工管内に固定するようにテーパ状である、請求項１に記載の塞栓用デバイス。
【請求項２２】
前記内部コイル内に配置された複数の放射性ビーズをさらに備える、請求項１に記載の塞栓用デバイス。
【請求項２３】
前記内部コイル内に配置された複数の塞栓用小片をさらに備える、請求項１に記載の塞栓用デバイス。
【請求項２４】
前記１つ以上の微細加工された開窓部が前記微細加工管の実質的に真っ直ぐな線に沿って作製される、請求項１に記載の塞栓用デバイス。
【請求項２５】
前記１つ以上の微細加工された開窓部が前記微細加工管の長さに沿って前記微細加工管の周りを回転する、請求項１に記載の塞栓用デバイス。
【請求項２６】
第１の切断パターンは前記微細加工管の第１の部分に沿った第１の開窓部の組を形成し、第２の切断パターンは前記微細加工管の第２の部分に沿った第２の開窓部の組を形成する、請求項１に記載の塞栓用デバイス。
【請求項２７】
前記開窓部は切断パターンを使用して形成され、前記切断パターンは前記微細加工管の長さに沿って変化する、請求項１に記載の塞栓用デバイス。
【請求項２８】
前記切断パターンは、前記開窓部の数、前記開窓部の形状、前記開窓部の長さ、前記開窓部の深さ、前記開窓部の間隔、間隔用の窓の数、前記間隔用の窓の長さ、および前記間隔用の窓の深さのうちの少なくとも１つに基づき変化する、請求項２７に記載の塞栓用デバイス。
【請求項２９】
微細加工された表面特徴をさらに備え、前記微細加工された表面特徴は、前記塞栓用デバイスが移動する流体内に配置された時、流れ止めを提供するように構成される、請求項１に記載の塞栓用デバイス。
【請求項３０】
前記開窓部は、前記塞栓用デバイスが移動する流体内に配置された時、流れ止めを提供するよう構成される、請求項１に記載の塞栓用デバイス。
【請求項３１】
前記１つ以上の微細加工された開窓部は、前記塞栓用デバイスが前記内部表面に連続した長手方向のリブを備えるように配置される、請求項１に記載の塞栓用デバイス。
【請求項３２】
塞栓用デバイスであって、
外面と、近位端から遠位端へ延びる内腔を形成する内面とを有し、第１の材料から作られており、１つ以上の微細加工された開窓部を有する微細加工管と、
第２の材料から作られ前記微細加工管の中に配置され、前記１つ以上の微細加工された開窓部により露出される内部コイルとを備え、
前記塞栓用デバイスは好ましい配置状態を有し、好ましい曲げの方向を提供するように前記微細加工された開窓部が選択される、塞栓用デバイス。
【請求項３３】
前記塞栓用デバイスが切断されていない背部を有し且つ配置された時に連続する曲げに向けて付勢されるように、前記微細加工された開窓部が回転して整列される、請求項３２に記載の塞栓用デバイス。
【請求項３４】
前記微細加工管は複数のリングを備え、前記複数のリングのそれぞれは隣接する開窓部の間に形成される、請求項３２に記載の塞栓用デバイス。
【請求項３５】
前記第１の材料はポリエーテルエーテルケトン（ＰＥＥＫ）である、請求項３２に記載の塞栓用デバイス。
【請求項３６】
前記ＰＥＥＫはポリエーテルブロックアミド（ＰＥＢＡ）、炭素繊維およびガラス繊維を含む他の種類のポリマーと組み合わされる、請求項３５に記載の塞栓用デバイス。
【請求項３７】
前記第２の材料はタンタルである、請求項３２に記載の塞栓用デバイス。
【請求項３８】
前記内部コイルに配置されるファイバをさらに備える、請求項３２に記載の塞栓用デバイス。
【請求項３９】
前記ファイバはガラス繊維、ポリエステル繊維、ダクロン繊維および親水性ポリマーである、請求項３８に記載の塞栓用デバイス。
【請求項４０】
前記ファイバに薬剤が装填される、請求項３８に記載の塞栓用デバイス。
【請求項４１】
前記薬剤はフィブリノゲン剤、治療剤、放射線治療剤、化学治療剤である。請求項４０に記載の塞栓用デバイス。
【請求項４２】
前記ファイバは薬剤送達コーティングを含む、請求項３８に記載の塞栓用デバイス。
【請求項４３】
管および前記管内に配置された内部コイルを備える塞栓用デバイスを包装する方法であって、
前記塞栓用デバイスを前記塞栓用デバイスの熱設定形状に包装および滅菌するステップと、
前記塞栓用デバイスを導入器に装填するステップであって、前記塞栓用デバイスは近位端に機械加工された開窓部を通って縫糸が通される前記近位端を含む、ステップと、
前記塞栓用デバイスを前記導入器から突出させて前記塞栓用デバイスに配置形状を取らせるステップと、
外科医が前記塞栓用デバイスの前記配置形状を検査することを可能にするステップと、
前記外科医が前記縫糸を後方に引き、前記塞栓用デバイスの送達前に前記塞栓用デバイスを前記導入器に装填することを可能にするステップと、
を備える方法。
【請求項４４】
前記管は、外面と、前記近位端から遠位端へ延びる内腔を形成する内面とを有する微細加工管を備え、前記管は第１の材料から作られており、１つ以上の微細加工された開窓部を有し、
前記内部コイルは第２の材料を備え、前記管の中に配置され、前記１つ以上の微細加工された開窓部が前記内部コイルを露出させる、請求項４３に記載の方法。
【請求項４５】
前記第１の材料はポリエーテルエーテルケトン（ＰＥＥＫ）である、請求項４３に記載の方法。
【請求項４６】
前記ＰＥＥＫはポリエーテルブロックアミド（ＰＥＢＡ）、炭素繊維およびガラス繊維を含む他の種類のポリマーと組み合わされる、請求項４５に記載の方法。
【請求項４７】
前記第２の材料はタンタルである、請求項４４に記載の方法。
【請求項４８】
前記塞栓用デバイスの前記配置形状は前記管の１つ以上の微細加工された開窓部により少なくとも部分的に決定される、請求項４３に記載の方法。
【請求項４９】
塞栓用デバイスであって、
第１の長さ、第１の幅および第１の高さを有し、外面を有する第１の微細加工本体と、
前記第１の微細加工本体の前記外面に形成された１つ以上の微細加工切断部と、
第２の長さ、第２の幅および第２の高さを有し、外面を有する第２の微細加工本体と、
前記第２の微細加工本体の前記外面に形成された１つ以上の微細加工切断部と、
少なくとも前記第１の微細加工本体と前記第２の微細加工本体を配置するように構成された送達機構と、
を備える塞栓用デバイス。
【請求項５０】
前記第１の微細加工本体はポリエーテルエーテルケトン（ＰＥＥＫ）を備える、請求項４９に記載の塞栓用デバイス。
【請求項５１】
前記第１の長さ、前記第１の幅、前記第１の高さは前記第２の長さ、前記第２の幅、前記第２の高さと実質的に同一である、請求項４９に記載の塞栓用デバイス。
【請求項５２】
前記第１の微細加工本体は近位端から遠位端に延びる第１の内腔をさらに備え、前記第２の微細加工本体は近位端から遠位端に延びる第２の内腔をさらに備える、請求項４９に記載の塞栓用デバイス。
【請求項５３】
前記第１の内腔に配置された第１の内部コイルと、前記第２の内腔に配置された第２の内部コイルと、をさらに備える、請求項５２に記載の塞栓用デバイス。
【請求項５４】
前記第１の内腔と前記第２の内腔を通って配置されるコアワイヤをさらに備える、請求項５２に記載の塞栓用デバイス。
【請求項５５】
塞栓用デバイスであって、
第１の長さ、第１の幅および第１の高さを有し、外面を有する微細加工本体と、
前記微細加工本体の周りの流体の流れを変化させるように構成された、前記第１の微細加工本体の前記外面に形成された１つ以上の微細加工切断部と、
を備える塞栓用デバイス。